(57)【特許請求の範囲】
【請求項１】
電子カード媒体と電池パックが機器本体に着脱自由に装着される携帯電子機器であり、
一角に切欠部を備える前記電子カード媒体と、
前記切欠部と係合する突起部を備え、機器本体に装着された前記電子カード媒体とこの携帯電子機器の長手方向で並ぶ位置に装着される前記電池パックと、
を含む携帯電子機器。
【請求項２】
前記切欠部は前記電子カード媒体の一角が三角形状に切除されたものである請求項１に記載の携帯電子機器。
【請求項３】
前記突起部は前記切欠部と係合する形状の三角形状である請求項２に記載の携帯電子機器。
【請求項４】
前記突起部は先端が半円形状である請求項２に記載の携帯電子機器。
【請求項５】
前記突起部は複数のピン状である請求項２に記載の携帯電子機器。
【請求項６】
前記突起部は前記電子カード媒体の端部を囲む形状である請求項２に記載の携帯電子機器。
【請求項７】
前記電子カード媒体はＳＩＭカード（Subscriber Identity Module card）である請求項１乃至６の何れか１つに記載の携帯電子機器。
【発明の詳細な説明】
【技術分野】
【０００１】
本発明は、電池パックと電子カード媒体とが機器本体に着脱自在に装着される構造の携帯電子機器に関する。
【背景技術】
【０００２】
携帯電話機などの携帯電子機器では、機器本体に電池パックと電子カード媒体とを装着して使用される製品がある。例えば、電池パックと、電子カード媒体としてＳＩＭカードを装着して使用される携帯電話機が存在している。
【０００３】
ＳＩＭカードは機器本体の電源がオンの状態で装着または脱着されると、記憶しているデータの消失などの障害が発生することがある。
【０００４】
これを防止するため、電池パックを装着した状態ではＳＩＭカードの装着または脱着が出来ない仕組みが提供されている。例えば、特開２００４−１２６８７７（特許文献１）は、電池パックがＳＩＭカードの上方を覆うように装着される携帯電子機器を記載している。
【０００５】
また、ＳＩＭカードを装着して使用される携帯電子機器は、利用者がＳＩＭカードの裏表や前後左右の向きを誤って機器本体に装着した場合、ＳＩＭカードの内容を読み書き出来ない。そこで、特許文献１は、このような誤装着を防止するための構成を記載している。即ち、特許文献１は、ＳＩＭカードの装着のための目印として、ＳＩＭカードが有する切欠部と同一形状の凹部を有するストッパを設けることを記載している。
【０００６】
【特許文献１】特開２００４−１２６８７７
【発明の開示】
【発明が解決しようとする課題】
【０００７】
しかしながら、この構成では、利用者がＳＩＭカードの装着方向を誤ることを完全には防止できない。例えば、利用者が暗がりにおいてＳＩＭカードの装着を行う場合には、この目印となる凹部を確認できないことがある。
【０００８】
また、装着されたＳＩＭカードの上部を電池パックが覆うので、利用者はＳＩＭカードの誤装着に気付かないことがある。
【０００９】
利用者は、ＳＩＭカードを使用する機能が実行できない時にこの誤装着に気付くことが多い。また、電池パック装着後に、利用者がＳＩＭカードの誤装着に気付いた場合には、利用者はまず電源をオフにしてから、電池パックを外し、その後にＳＩＭカードを再度装着しなおす必要がある。
【００１０】
また、特許文献１の構成は、ＳＩＭカードと電池パックとが上下に重ねて配置されるため、機器本体の厚みが増す。
【００１１】
本発明は、電子カード媒体の誤装着を確実に防止する、薄型の携帯電子機器を提供することを目的とする。
【課題を解決するための手段】
【００１２】
本発明は、
電子カード媒体と電池パックが機器本体に着脱自由に装着される携帯電子機器であり、
一角に切欠部を備える電子カード媒体と、
切欠部と係合する突起部を備え、機器本体に装着された電子カード媒体とこの携帯電子機器の長手方向で並ぶ位置に装着される電池パックと、
を含む携帯電子機器を提供する。
【発明の効果】
【００１３】
本発明は、以下のような効果をもたらす。
【００１４】
本発明に係る携帯電子機器は、電子カード媒体が誤装着された場合、利用者は電池パックを装着することが出来ない。したがって、利用者は、電池パックを装着する段階で、電子カード媒体の装着状態を確認することが出来る。また、この携帯電子機器は、電子カード媒体が誤装着された状態で電源がオンにされることを確実に防止する。
【００１５】
また、本発明に係る携帯電子機器は、電池パックと電子カード媒体が同一平面上に配置されるため、特許文献１に開示された携帯電子機器に比べ、機器本体の厚さが薄くなる。
【発明を実施するための最良の形態】
【００１６】
次に、本発明の実施形態が図面を参照して説明される。
【００１７】
［第１の実施形態］
図１は、本発明の第１の実施形態における携帯電話機１の構成を示す斜視図である。ただし、本発明に関連しない部分は図示されていない。
【００１８】
ＳＩＭカード２００は、その一角が三角形状に切除された矩形状の平面形状に形成されている。また、ＳＩＭカード２００は、下側の面に、ＩＣチップ端子２０２を備える。
【００１９】
電池パック１００は、ＳＩＭカード２００より大型の扁平な直方体状に形成されている。また、電池パック１００は、ＳＩＭカード２００の切欠部２０１と係合する突起部１０１と、電池端子１０２とを備える。
【００２０】
図１の携帯電話機１では、電池パック１００と、ＳＩＭカード２００とが、機器本体３００に着脱自在に装着される。
【００２１】
このため、機器本体３００は、ＳＩＭカード２００の一端が、図１右上方向から左下方向に向かってスライド自在に装着されるＳＩＭカード保持機構３０３を有する。また、機器本体３００は、ＳＩＭカード２００の他端（ＳＩＭカード２００の切欠部２０１の側）が保持される位置に、電池パック１００が図１上方から着脱自在に装着される電池パック保持部３０１を有する。
【００２２】
ＳＩＭカード保持機構３０３は、機器本体３００上に配置された基板３０２の上に、ＳＩＭカード２００の一端が挿入される形状に形成されている。また、ＳＩＭカード保持機構３０３は、その内部に、ＩＣチップ端子２０２と導通するＩＣチップ端子コネクタ３０４を備える。
【００２３】
電池パック保持部３０１は、機器本体３００上に、電池パック１００が嵌入される凹部として形成されている。
【００２４】
電池端子コネクタ３０５は、基板３０２の上に配置されている。
【００２５】
上述のような構成において、本実施形態の携帯電話機１は、電池パック１００とＳＩＭカード２００とが着脱自在に装着されることが出来る。
【００２６】
図２は、電池パック１００およびＳＩＭカード２００が、正しく装着された状態を表す斜視図である。図３は、図２と同じ状態を表す平面図である。
【００２７】
図２および図３に示されたように、ＳＩＭカード２００がＳＩＭカード保持機構３０３に正しく装着された状態では、電池パック１００は、電池パック保持部３０１へ着脱自在に装着される。そして、突起部１０１は切欠部２０１と係合し、電池端子１０２は電池端子コネクタ３０５と接続される。また、この状態では、利用者は、ＳＩＭカード２００を着脱することが出来ない。
【００２８】
図４は、電池パック１００が装着された状態で、利用者がＳＩＭカード２００を装着しようとする場合の様子を表す、携帯電話１を横方向から見た、断面図である。この場合、電池パック１００およびその突起部１０１が、ＳＩＭカード保持機構３０３へのＳＩＭカード２００の挿入を妨げるので、利用者はＳＩＭカード２００を装着することが出来ない。
【００２９】
図５は、利用者が、ＳＩＭカード２００をカードの平面上で１８０度回転させて誤装着した場合を表している。この場合には、切欠部２０１は突起部１０１と係合する位置に存在しない。このため、利用者は、電池パック１００を装着することが出来ない。利用者が、ＳＩＭカード２００を裏表逆に誤装着した場合も同様である。
【００３０】
上述のように、本実施形態の携帯電話機１は、ＳＩＭカード２００が誤装着された場合、利用者は、電池パック１００を装着することが出来ない。そのため、この段階で、利用者は、ＳＩＭカード２００の誤装着に確実に気付くことが出来る。また、電池パック１００を装着することが出来ないことにより、ＳＩＭカード２００が誤装着された状態で電源がオンにされることが防止される。
【００３１】
また、電池パック１００が装着された状態では、利用者は、ＳＩＭカード２００を着脱することが出来ない。そのため、電源がオンの状態でＳＩＭカード２００が着脱されて障害が発生することが防止される。
【００３２】
また、電池パック１００とＳＩＭカード２００が同一平面上に配置されるため、特許文献１に開示された携帯電子機器に比べ、本実施形態の携帯電話機１は、機器本体の厚さが薄くなる。
【００３３】
なお、今日広く使用されているＳＩＭカードは、本実施形態のＳＩＭカード２００と同様に、その一角が三角形状に切除された矩形状の平面形状に形成されている。即ち、上述の効果は、今日広く使用されているＳＩＭカードをそのまま利用することにより実現される。これは他の実施形態についても同様である。
【００３４】
［第２の実施形態］
次に、本発明の第２の実施形態につき、説明される。
【００３５】
本発明の第１の実施形態において、突起部１０１の形状は、切欠部２０１の形状と同一の三角形状であった。しかし、電子カード媒体の誤装着の防止という本発明の主要な効果が実現されるためには、突起部は、上述の形状でなくとも構わない。
【００３６】
図６（ａ）、（ｂ）および（ｃ）は、本発明の第２の実施形態における突起部の他の形状の例を示す平面図である。なお、本実施形態の装置構成は、突起部の形状の違いを除いて第１の実施形態と同様である。
【００３７】
図６（ａ）では、突起部１０１ａは、先端形状がＳＩＭカード２００の切欠部２０１に接する半円状に形成されている。
【００３８】
図６（ｂ）では、突起部１０１ｂおよび１０１ｃは、それぞれの先端がＳＩＭカード２００の切欠部２０１に接する複数のピン状に形成されている。
【００３９】
図６（ｃ）では、突起部１０１ｄは、ＳＩＭカード２００の、切欠部２０１側の端部を囲む形状に形成されている。
【００４０】
図７は、機器本体３００に装着された状態における、電池パック１００とＳＩＭカード２００の位置関係を示す平面図である。本実施形態における突起部は、図７の領域Ｘの空間、即ち三角形状に切除された部分の全部または一部を占有し、かつ、領域Ｙの空間、即ちＳＩＭカード２００が装着される位置を全く占有しない形状であれば、図６の形状以外でも構わない。
【００４１】
以上のとおり、ＳＩＭカードと電池パックを装着して使用する携帯電話機を例に本発明の実施形態が説明された。しかしながら、本発明は、他のタイプの携帯電子機器、例えばＰＤＡ（Personal Digital Assistant）や電子辞書などにも適用できる。また、ＳＩＭカード以外の、一角に切欠部を有する電子カード媒体を使用する携帯電子機器にも適用できる。
【図面の簡単な説明】
【００４２】
【図１】本発明の第１の実施形態における携帯電話機の構成を示す斜視図である。
【図２】本発明の第１の実施形態における電池パックとＳＩＭカードが正しく装着された状態を表す斜視図である。
【図３】図２と同じ状態を表す平面図である。
【図４】本発明の第１の実施形態において、電池パックが装着された状態で利用者がＳＩＭカードを装着しようとする場合の様子を表す断面図である。
【図５】本発明の第１の実施形態において、ＳＩＭカードが誤った向きに装着された携帯電話機を表す平面図である。
【図６】本発明の第２の実施形態における突起部の他の形状の例を示す平面図である。
【図７】本発明の第２の実施形態において、装着された状態における電池パックとＳＩＭカードの位置関係を示す平面図である。
【符号の説明】
【００４３】
１    携帯電話機
１００    電池パック
１０１    突起部
１０２    電池端子
２００    ＳＩＭカード
２０１    切欠部
２０２    ＩＣチップ端子
３００    機器本体
３０１    電池パック保持部
３０２    基板
３０３    ＳＩＭカード保持機構
３０４    ＩＣチップ端子コネクタ
３０５    電池端子コネクタ
【図１】
0004811369.tif 000002
【図２】
0004811369.tif 000003
【図３】
0004811369.tif 000004
【図４】
0004811369.tif 000005
【図５】
0004811369.tif 000006
【図６】
0004811369.tif 000007
【図７】
0004811369.tif 000008